(57)【要約】【課題】ドラム缶のチャイム部を捲き戻すリカール機で、捲き戻し用の円錐刃の先端を、回動するドラム缶の側壁とチャイム部の折返片との間に押圧進入させ、折返片を切断することなく剥離伸展させるドラム缶リカール機を提供する。【解決手段】駆動円板にドラム缶を押圧接合させて回転可能にする機構と、円錐刃の装着されたダイスローラを揺動させてチャイム部の折返片の端部とドラム缶の側壁との間に進入させる揺動機構とからなり、円錐刃の刃先端に円錐刃の底面より逃がし角度Xを設け、円錐刃基部の直角からの角度を揺動角度に合わせた角度Qとする面取り加工を施した円錐刃によりチャイム部を剥離伸展させ、チャイム部の折返片を切断せずに再利用可能な状態にドラム缶から分離離脱させるドラム缶リカール機【選択図】  図１
2012055965.tif 000002
【特許請求の範囲】
【請求項１】
回転駆動部と、前記駆動部により回転する駆動円板と、ドラム缶を搭載する回転円板と、前記回転円板にドラム缶を搭載した状態で上昇させドラム缶の上端を駆動円板に押圧接合させてドラム缶を回転可能にする押上装置と、ドラム缶の上端周縁に設けられたチャイム部のカールを伸延するリカール装置とからなるドラム缶リカール機において、
前記リカール装置が、ドラム缶リカール機のケーシング上部に設置される揺動装置と、前記揺動装置の先端に装着されたダイスローラ揺動アームと、前記ダイスローラ揺動アームの先端に自転可能に装着された円錐刃を先端に装備した伸展ダイスローラと、からなり、前記伸展ダイスローラの円錐刃の先端を、チャイム部の折返片の端部とドラム缶の側壁との間に進入させ、チャイム部の折返片を下方から上方へと徐々に押圧してドラム缶の側壁（外周側壁）から折返片を剥離しながら伸展させ、ドラム缶が回動する駆動円盤に押圧固定されて回転することにより、周縁のチャイム部を徐々に一周にわたってドラム缶から切断することなく剥離伸展させ、ドラム缶の側壁（外周側壁）と同一周面に立ち上がるまで伸展させることを特徴とするドラム缶リカール機。
【請求項２】
前記チャイム部は、ドラム缶の側壁上端とドラム缶の蓋体の外周縁とを重ね合わせて折返し溶接または巻き締めした構成からなり、前記伸展ダイスローラの刃部の先端は、蓋体の外周縁と側壁上端とからなるチャイム部の折返片の端部とドラム缶の側壁との間に進入し、チャイム部の折返片を下方から上方へと徐々に押圧しながら溶接または巻き締めを破断または巻き戻して、折返片をドラム缶の側壁から剥離しながら伸展させ、回転するドラム缶の周縁の折返片を徐々に一周にわたってドラム缶から切断することなく剥離させ、同時に（ドラム缶）折返片に凸凹ができないよう押圧される駆動円盤の外周縁とドラム缶側壁に常時円錐刃の面取り部が当たるようにドラム缶の側壁と同一周面に立ち上がるまで伸展させることを特徴とする請求項１記載のドラム缶リカール機。
【請求項３】
前記ドラム缶の蓋部は、ドラム缶の側壁上端と蓋体の外周縁とを重ね合わせて折返した構成のチャイム部によりドラム缶側壁の上部に堅固に固着されており、再利用可能なように、前記伸展ダイスローラの円錐刃の先端を、回動するドラム缶のチャイム部の折返片とドラム缶の側壁との間に挿入して、周回させながら徐々にチャイム部の結束を緩めて蓋体をチャイムから分離離脱することを特徴とする請求項１記載のドラム缶リカール機。
【請求項４】
前記伸展ダイスローラの円錐刃は、円筒体の先端に円錐台に形成した円錐刃を装備した構成からなり、装備される円錐刃の底面周縁に設けられる刃先端の位置をダイスローラがドラム缶側に遥動した時に刃先端がドラム缶側壁に接しないように円錐刃の底面より逃がし角度X分だけ立ち上った位置に設けて周縁を皿状に立ち上げて形成し、また、円錐刃基部の直角からの角度を折返片の先端に進入し易いようにダイスローラ揺動アームの揺動角度に合わせた角度Qとするとともに、更に、チャイム部を切断せずに再利用可能な状態に蓋体をドラム缶から分離させるために、刃先端に面取り加工を施したことを特徴とする請求項１記載のドラム缶リカール機。
【請求項５】
前記ドラム缶リカール機は、伸展ダイスローラの円錐刃の先端が回転するドラム缶の側壁と折返片の端部との間に押圧進入することによる摩擦によって焼付けを生じさせないように、伸展ダイスローラの円錐刃の先端の位置に摩擦熱発生を防止するための潤滑剤を滴下する潤滑剤供給装置が装備されていることを特徴とする請求項１記載のドラム缶リカール機。
【発明の詳細な説明】
【技術分野】
【０００１】
本発明は、ドラム缶の上下端部に設けられた折返部であるチャイム部を捲き戻すリカール機に関し、特に、リカール機の捲き戻し用の円錐刃の先端を、回動するドラム缶の側壁と折返片との間に押圧進入させ、周縁のチャイム部を切断することなくドラム缶の側壁（外周側壁）と同一周面に立ち上がるまで伸展させ、新缶と同様にリカールすることの出来るドラム缶リカール機に関する。
【背景技術】
【０００２】
容器としてのドラム缶は、耐久性、耐火性に優れており、各種の目的に使用されている。また、輸送や保管などに多くのメリットがあるため様々な用途で長年にわたって継続的使用されている。そのため、ドラム缶の需要は多く、新缶は年間で約１３００万本生産されている。
しかし新缶は高価であるという理由と、ドラム缶は耐久性に優れているという理由で、ドラム缶は一旦使用された後も、更生処理され、再利用されるリユースサイクルが市場として確立されており、市場での再生缶の利用率も高い。再生処理に当たっては、ドラム缶の上下端のいわゆるチャーム部といわれる捲戻部分（折返部分）に過去の収容物の痕跡が残滓として残存することが問題となることがあり、ドラム缶の再生に際してはこのチャーム部の処理が問題となる。
一方、再生缶の出荷本数は年間で約１２００万本であり、新缶と同様に数多く市場に出回っている。環境問題とともに、再生缶の利用が進んでいる裏には、新缶の生産にコストがかかるという問題もあった。
再生缶の再生処理に当たって、ドラム缶に天板（上蓋）の設けられたクローズ缶を再生する場合、天板を外して焼き加工をするとドラム缶の長手方向の長さが短くなるという問題があった。ドラム缶を引き伸ばして新缶と同様の長さにする技術はあるが、引き伸ばすとドラム缶の厚みが減るため、強度が弱くなるという問題もあった。
【０００３】
通常のドラム缶リサイクルはドラム缶の形状は変えないで、そのままの形を生かし整形・洗浄・塗装を行っている。しかしながら、充填されていた内容物がドラムのチャイム部分に浸透し１cc〜２cc残ることにより、ファインケミカル製品向けのクローズ缶には再生缶が使用できず、もっぱら新缶が使用されてきた。また、洗浄不可ドラム缶などは上部天板をカットし、焼成処理することによりチャイム部の残渣の問題を解決し、再生缶の中でも改造ドラム缶として使用されてきたが、巻き閉め部分を切り取ってしまうために、改造ドラム缶は、新缶と比べると全長が短く切断精度の問題で積み重ねることが困難であるという問題も生じていた。
【０００４】
そのため、ドラム缶の需要者の間では、チャイム部分に浸透した内容物の残留を完全に洗浄することが可能であり、更に、チャイム部を切断せずに新缶サイズと同じ高さを保った再生オープン缶の処理再生装置の開発が望まれていた。
【０００５】
【特許文献１】特開平１０−０５８０６８号
【特許文献２】特開２００２−１７３１１５号公報
【発明の開示】
【発明が解決しようとする課題】
【０００６】
本発明は上記問題を解決するために、ドラム缶の上下端に設けられている折返部であるチャーム部を切断することなく巻き戻して剥離し、ドラム缶の側壁と同一面になるまで伸展させることにより、再生缶であるにもかかわらず新缶と同じように再利用できるようにドラム缶の端部をリカールするドラム缶リカール機を提供することを目的とする。
【課題を解決するための手段】
【０００７】
上記の目的を達成するために本発明にかかるドラム缶リカール機は、回転駆動部と、前記駆動部により回転する駆動円板と、ドラム缶を搭載する回転円板と、前記回転円板にドラム缶を搭載した状態で上昇させドラム缶の上端を駆動円板に押圧接合させてドラム缶を回転可能にする押上装置と、ドラム缶の上端周縁に設けられたチャイム部のカールを伸延するリカール装置とからなるドラム缶リカール機であって、前記リカール装置が、ドラム缶リカール機のケーシング上部に設置される揺動装置と、前記揺動装置の先端に装着されたダイスローラ揺動アームと、前記ダイスローラ揺動アームの先端に自転可能に装着された円錐刃を先端に装備した伸展ダイスローラと、からなり、前記伸展ダイスローラの円錐刃の先端を、チャイム部の折返片の端部とドラム缶の側壁との間に進入させ、チャイム部の折返片を下方から上方へと徐々に押圧してドラム缶の側壁（外周側壁）から折返片を剥離しながら伸展させ、ドラム缶が回動する駆動円盤に押圧固定されて回転することにより、周縁のチャイム部を徐々に一周にわたってドラム缶から切断することなく剥離伸展させ、ドラム缶の側壁（外周側壁）と同一周面に立ち上がるまで伸展させる構造である。
【０００８】
また、チャイム部は、ドラム缶の側壁上端とドラム缶の蓋体の外周縁とを重ね合わせて折返し溶接または巻き締めした構成からなり、前記伸展ダイスローラの刃部の先端は、蓋体の外周縁と側壁上端とからなるチャイム部の折返片の端部とドラム缶の側壁との間に進入し、チャイム部の折返片を下方から上方へと徐々に押圧しながら溶接または巻き締めを破断または巻き戻して、折返片をドラム缶の側壁から剥離しながら伸展させ、回転するドラム缶の周縁の折返片を徐々に一周にわたってドラム缶から切断することなく剥離させ、同時に（ドラム缶）折返片に凸凹ができないよう押圧される駆動円盤の外周縁とドラム缶側壁に常時円錐刃の面取り部が当たるようにドラム缶の側壁と同一周面に立ち上がるまで伸展させる構造である。
【０００９】
また、ドラム缶の蓋部は、ドラム缶の側壁上端と蓋体の外周縁とを重ね合わせて折返した構成のチャイム部によりドラム缶側壁の上部に堅固に固着されており、再利用可能なように、前記伸展ダイスローラの円錐刃の先端を、回動するドラム缶のチャイム部の折返片とドラム缶の側壁との間に挿入して、周回させながら徐々にチャイム部の結束を緩めて蓋体をチャイムから分離離脱する構成である。
【００１０】
さらに、伸展ダイスローラの円錐刃は、円筒体の先端に円錐台に形成した円錐刃を装備した構成からなり、装備される円錐刃の底面周縁に設けられる刃先端の位置をダイスローラがドラム缶側に遥動した時に刃先端がドラム缶側壁に接しないように円錐刃の底面より逃がし角度X分だけ立ち上った位置に設けて周縁を皿状に立ち上げて形成し、また、円錐刃基部の直角からの角度を折返片の先端に進入し易いようにダイスローラ揺動アームの揺動角度に合わせた角度Qとするとともに、更に、チャイム部を切断せずに再利用可能な状態に蓋体をドラム缶から分離させるために、刃先端に面取り加工を施した構造である。
【００１１】
また、ドラム缶リカール機は、伸展ダイスローラの円錐刃の先端が回転するドラム缶の側壁と折返片の端部との間に押圧進入することによる摩擦によって焼付けを生じさせないように、伸展ダイスローラの円錐刃の先端の位置に摩擦熱発生を防止するための潤滑剤を滴下する潤滑剤供給装置が装備されている構造でもある。
【発明の効果】
【００１２】
本発明は、上記詳述した通りの構成であるので、以下のような効果がある。
１．ドラム側の壁から折返片を剥離しながら伸展させ、ドラム缶が回動する駆動円盤に押圧固定されて回転することにより、周縁のチャイム部を徐々に一周にわたってドラム缶から切断することなく剥離伸展させ、リカールする事により、新缶と同じ高さの再生缶を容易に生成することが出来る。
２．ダイスローラの刃部の先端を、ドラム缶の蓋体の外周縁とを重ね合わせて折返し溶接または巻き締めしたチャイム部とドラム缶の側壁との間に進入させることにより、チャイム部を徐々に押圧しながら溶接または巻き締めを剥離または巻き戻して伸展させることが出来る。また、駆動円盤の外周縁とドラム缶側壁に常時円錐刃の面取り部が当たるように摺動アームを調整し、ドラム缶の回転により、周縁の折返片を徐々に一周にわたって折返片に凸凹ができないようドラム缶から切断することなく同一周面に立ち上がるまで伸展させることが出来る
３．回動するドラム缶のチャイム部の折返片とドラム缶の側壁との間に伸展ダイスローラの円錐刃の先端を挿入して、堅固に固着されているチャイム部を徐々に緩めることにより、再利用可能なように蓋体をチャイムから分離離脱することができる。
４．伸展ダイスローラの円錐刃は、底面より逃がし角度X分だけ立ち上った位置に設けて周縁を皿状に立ち上げて形成されており、折返片の先端に進入し易いように円錐刃基部の直角からの角度をダイスローラ揺動アームの揺動角度に合わせた角度Qとする面取り加工を施しているので、チャイム部を切断せずに再利用可能な状態に蓋体をドラム缶から分離伸展させることが可能である。
５．回転するドラム缶の側壁と折返片の端部との間に、潤滑剤供給装置が装備されているため、摩擦熱発生による焼付きを防止することが出来る。
【図面の簡単な説明】
【００１３】
【図１】本発明におけるドラム缶リカール機が押上装置によりドラム缶を駆動円板に押圧接合する前の正面図
【図２】ドラム缶リカール機が押上装置によりドラム缶を駆動円板に押圧接合した状態の正面図
【図３】伸展ダイスローラのスタンバイ状態を示す正面図
【図４】伸展ダイスローラの円錐刃が剥離伸展中している状態の正面図
【図５】伸展ダイスローラの円錐刃の断面図図
【発明を実施するための最良の形態】
【００１４】
以下、本発明に係るドラム缶リカール機を、図面に示す実施例に基づいて詳細に説明する。
本件発明にかかるドラム缶リカール機は、リカール機本体１０と、回転駆動部２０と、駆動円板２２と、回転円板４０と、押上装置５０と、揺動装置６０と、ダイスローラ揺動アーム７０と、伸展ダイスローラ８０と、円錐刃の先端８４と、潤滑剤供給装置９０とからなる。
図２乃至図５で示すように、ダイスローラ揺動アーム７０に自転可能に装備された伸展ダイスローラ８０を揺動装置６０により摺動させて、回転駆動部２０に押圧固定されて回転することにより、円錐刃８２が先端に装備された伸展ダイスローラ８０をチャイム部の折返片の端部とドラム缶の側壁との間に侵入させて、ドラム缶周縁のチャイム部を切断することなく剥離伸展させる構造である。
【００１５】
図１は、本発明におけるドラム缶リカール機が押上装置によりドラム缶を駆動円板に押圧接合する前の正面図であり、本発明のドラム缶リカール機１０に外観を示すように、本発明にかかるドラム缶を再生させるためのドラム缶リカールの各部材を収納保持した筐体である。筐体内部の回転円板４０の上にドラム缶が設置され、押上装置５０により駆動円板２２に押圧固定されて回転駆動力が伝達される前の状態である。
【００１６】
図２は、ドラム缶リカール機が押上装置によりドラム缶を駆動円板に押圧接合した状態の正面図である。
ドラム缶リカール機１０の天板の底面にはドラム缶を回転させる回転駆動部２０と、回転をドラム缶に伝える駆動円板２２が設けられている。また、ドラム缶リカール機１０の底板にはドラム缶が搭載された回転円板４０を押し上げて回転駆動部２０にドラム缶蓋部を回転駆動部２０に押圧固定するための押上装置５０が設けられている。ドラム缶は、押上装置５０により回転駆動部２０に強固に押圧固定され回転駆動部２０の駆動により回転可能となる。
【００１７】
図３は、伸展ダイスローラのスタンバイ状態を示す図であり、ドラム缶の側面、および、チャイム部等に伸展ダイスローラ８０が接しない様な間隔に、ダイスローラ揺動アーム７０により伸展ダイスローラ８０の位置が待機状態となるように調整されている。伸展ダイスローラ８０の角度は、ドラム缶に接地しない任意の角度であり、図２の実施例の角度に限られるものではない。
【００１８】
図４は、伸展ダイスローラ８０の円錐刃８２が剥離伸展する状態を示す図であり、ドラム缶の蓋体の外周縁とを重ね合わせて折返し溶接または巻き締めしたチャイム部３２とドラム缶の側壁との間に進入させることにより、チャイム部を徐々に押圧しながら溶接または巻き締めを剥離または巻き戻して伸展させる。更に、駆動円盤２２の外周縁とドラム缶側壁に伸展ダイスローラ８０の円錐刃の面取り部が常時当たるように摺動アームを調整し、回転駆動部２０によるドラム缶の回転により、周縁の折返片を同一周面に立ち上がるまで徐々に一周にわたってドラム缶から切断することなく伸展させる。
【００１９】
図５は、伸展ダイスローラ８０の円錐刃８２の先端を、ドラム缶３０の蓋体３４の外周縁と蓋体の周縁を溶接または巻き締めしたチャイム部３２とドラム缶の側壁との間に進入させることにより、チャイム部を徐々に剥離し、巻き戻して伸展させた状態の拡大図である。ドラム缶の蓋体の外周縁と蓋体の外周縁とからなるチャイム部を、剥離伸展させた状態であり、破線で示された位置が、ドラム缶の側面と略同一周面に立ち上がるまで伸展させた剥離伸展後の状態を示す。
【００２０】
伸展ダイスローラ８０の円錐刃８２は、伸展ダイスローラ８０の先端に円錐台形に形成されており、第５図で示すように、刃先端８４は、円錐刃８２の底面８２ａより逃がし角度X分だけ立ち上った位置に設けて周縁を皿状に立ち上げて形成した構成である。また、折返片の先端に進入し易いように円錐刃基部の直角からの角度をダイスローラ揺動アームの揺動角度に合わせた角度Qとする面取り加工を施した構成である。
刃先端８４に、逃がし角度Xとダイスローラ揺動アームの揺動角度に合わせた角度Qの角度を付けて面取りすることにより、伸展ダイスローラ８０がチャイム部３２に向けて揺動（上昇）した時に、刃先端８４がドラム缶側壁に接しないように、チャイム部まで摺動可能にし、チャイム部に不必要に大きな力や熱等の負担をかけることなく剥離伸展させる事が実現できるため、チャイム部を切断せずに再利用可能な状態に蓋体をドラム缶から分離させることが可能である。
【００２１】
図１、図２の実施例に示されたように、ドラム缶リカール機１０は、伸展ダイスローラ８０の円錐刃８２の刃先端８４が回転するドラム缶３０の側壁３０ａとチャイム部３２との間に押圧進入し、押圧しながら、溶接又は巻き締めを剥離または巻き戻す工程で摩擦によって焼付きが生じるのを防止するために、伸展ダイスローラ８０の円錐８２の先端８４の位置に摩擦熱発生防止用の潤滑剤を滴下する潤滑剤供給装置９０が装備されている。これにより、摩擦熱による焼付きが防止される。潤滑剤としては、通常はオイルが使用されるが、摩擦熱を抑える効果があれば、水または他の潤滑性のある素材を利用することも可能である。
【００２２】
上記のチャイム部の剥離伸展によるドラム缶再生方法は、鋼製ドラム缶にポリエチレンなどの耐薬品性に優れた内装袋（ライナ）を装填した複合容器であるケミカルドラム缶の再生にも利用することが可能である。ケミカルドラム缶においても、通常のドラム缶の再生利用と同様に、チャイム部カットによるドラム缶の全長の詰り等の問題を回避することが可能である。本発明により、洗浄再生品以外は殆どが有償で廃棄されているケミカルドラム缶を、チャイム部を剥離伸展させ、新ライナを装着し、天板を巻き締め、塗装するだけで再生が可能となり、焼き工程・洗浄工程・ショットブラスト工程等を行わずに、新缶（又は改造ケミカルドラム缶が天蓋を固着する前）と同じサイズのドラム缶として再生させることが出来る。
【符号の説明】
【００２３】
１０    リカール機本体
２０    回転駆動部
２２    駆動円板
３０    ドラム缶
３０ａ  ドラム缶側壁
３２    チャイム部
３４    ドラム缶蓋
４０    回転円板
５０    押上装置
６０    揺動装置
７０    ダイスローラ揺動アーム
８０    伸展ダイスローラ
８２    円錐刃
８２ａ  円錐刃底面
８４    円錐刃の先端
９０    潤滑剤供給装置
【図１】
2012055965.tif 000003
【図２】
2012055965.tif 000004
【図３】
2012055965.tif 000005
【図４】
2012055965.tif 000006
【図５】
2012055965.tif 000007